(57)【要約】【課題】建物内の快適空調および省エネルギ効果を得ながら、ダクト長の増大、作業性の悪化、メンテナンス性の悪化といった不具合を解消することができる換気システムを提供する。【解決手段】屋外に設けられ、表面に集放熱面を有し、内部に通気空間を有する集放熱装置１１を備えるとともに、換気装置２０を備えている。換気装置２０は、集放熱装置１１に通じる通気口２１、屋内空間に通じる給気口２２、屋内空間に通じる吸込口２３、屋外空間に臨む排気口４１、屋外空間に臨む外気導入口４２などを備えている。【選択図】    図１
2004301375.tif 000002
【特許請求の範囲】
【請求項１】
屋外に設けられ、表面に集放熱面を有し、内部に通気空間を有する集放熱装置と、
前記集放熱装置に通じる通気口、屋内空間に通じる給気口、屋内空間に通じる吸込口、屋外空間に臨む排気口、屋外空間に臨む外気導入口、前記通気口および前記外気導入口から前記給気口に通じる第１給気路、前記通気口および前記外気導入口から前記給気口に通じるとともに前記第１給気路の途中をバイパスする第２給気路、前記通気口および前記外気導入口の一方を開いて他方を閉じるための第１切替ダンパ、前記第１給気路および前記第２給気路に設けられた給気送風機、前記第１給気路および前記第２給気路の一方を開いて他方を閉じるための第２切替ダンパ、前記吸込口から前記排気口に通じる排気路、前記排気路に設けられた排気送風機、前記第１給気路および前記排気路に設けられた熱交換器を有する換気装置と、
を備えたことを特徴とする換気システム。
【請求項２】
請求項１に記載の換気システムにおいて、
前記換気装置は、
前記第１切替ダンパの開放、前記給気送風機のオン、前記第２切替ダンパの開放、前記排気送風機のオンにより、前記集放熱装置内の空気が前記通気口、前記第１給気路、前記熱交換器、前記給気口を通って屋内に供給されるとともに、屋内の空気が前記吸込口、前記排気路、前記熱交換器、前記排気口を通って屋外に排出される第１通風路と、
前記第１切替ダンパの開放、前記給気送風機のオン、前記第２切替ダンパの閉成、前記排気送風機のオンにより、前記集放熱装置内の空気が前記通気口、前記第２給気路、前記給気口を通って屋内に供給されるとともに、屋内の空気が前記吸込口、前記排気路、前記熱交換器を通って屋外に排出される第２通風路と、
前記第１切替ダンパの閉成、前記給気送風機のオン、前記第２切替ダンパの閉成、前記排気送風機のオンにより、外気が前記外気導入口、前記第２給気路、前記給気口を通って屋内に供給されるとともに、屋内の空気が前記吸込口、前記排気路、前記熱交換器を通って屋外に排出される第３通風路と、
前記第１切替ダンパの閉成、前記給気送風機のオン、前記第２切替ダンパの開放、前記排気送風機のオンにより、外気が前記外気導入口、前記第１給気路、前記熱交換器、前記給気口を通って屋内に供給されるとともに、屋内の空気が前記吸込口、前記排気路、前記熱交換器を通って屋外に排出される第４通風路と、
をさらに有していることを特徴とする換気システム。
【請求項３】
請求項２に記載の換気システムにおいて、
前記換気装置は、
前記通気口に流入する空気の温度を検知する第１温度センサと、
前記外気導入口に流入する空気の温度を検知する第２温度センサと、
前記吸込口に流入する空気の温度を検知する第３温度センサと、
前記各温度センサの検知温度と予め定められている季節判別温度との対照に応じた前記各切替ダンパおよび前記各送風機の制御により前記各通風路を選択的に形成する制御手段と、
をさらに有していることを特徴とする換気システム。
【請求項４】
請求項２に記載の換気システムにおいて、
前記換気装置は、
前記通気口に流入する空気の温度を検知する温度センサと、
前記外気導入口に流入する空気の温湿度を検知する第１温湿度センサと、
前記吸込口に流入する空気の温湿度を検知する第２温湿度センサと、
前記温度センサおよび前記各温湿度センサの検知結果と予め定められている季節判別温度との対照に応じた前記各切替ダンパおよび前記各送風機の制御により前記各通風路を選択的に形成する制御手段と、
をさらに有していることを特徴とする換気システム。
【請求項５】
請求項３または請求項４に記載の換気システムにおいて、
前記換気装置は、前記第２通風路および前記第３通風路の形成時、前記給気送風機の風量を外気冷房用または外気暖房用に増大する制御手段をさらに有していることを特徴とする換気システム。
【請求項６】
請求項３または請求項４に記載の換気システムにおいて、
前記換気装置は、前記季節判別温度を可変設定するための操作手段をさらに有していることを特徴とする換気システム。
【請求項７】
請求項３または請求項４に記載の換気システムにおいて、
前記制御手段は、前記各切替ダンパの開閉制御にヒステリシスを持たせることを特徴とする換気システム。
【請求項８】
請求項１ないし請求項７のいずれかに記載の換気システムにおいて、
前記換気装置の給気口から建物の床下空間に空気を導くための給気用ダクトと、
前記建物の共用スペースの天井面から屋外に空気を導くための排気用ダクトと、
をさらに有していることを特徴とする換気システム。
【請求項９】
請求項１ないし請求項７のいずれかに記載の換気システムにおいて、
前記集放熱装置は、建物のバルコニーの外壁面に設けられている、
前記換気装置は、前記バルコニーの天井面に吊り下げ固定されている、
ことを特徴とする換気システム。
【請求項１０】
請求項１ないし請求項７のいずれかに記載の換気システムにおいて、
前記換気装置は、前記通気口から流入する空気を屋外と常時流通させるための開口部をさらに備えていることを特徴とする換気システム。
【発明の詳細な説明】
【０００１】
【発明の属する技術分野】
この発明は、建物の換気に使用される換気システムに関する。
【０００２】
【従来の技術】
建物の屋根に集熱器を設置して太陽熱を集め、集めた熱気をダクトにより床下の屋内熱交換器に導き、その屋内熱交換器を通して屋内空気を換気するタイプの冷暖房システムがある（例えば特許文献１参照）。
【０００３】
建物の屋根に太陽電池を設置して太陽熱を集め、集めた熱気を通気層により換気装置に導き、その換気装置から屋内外に空気を分配するシステムもある（例えば特許文献２参照）。
【０００４】
【特許文献１】
特開平７−２１７０１１号公報
【０００５】
【特許文献２】
特開平９−６０９８１号公報
【０００６】
【発明が解決しようとする課題】
上記のようなシステムでは、コントロールボックスと称される空気流路の切換手段を建物内に設置し、しかも床下空間などに屋内熱交換器や換気装置を設置しており、空気流路の切換手段と屋内熱交換器や換気装置との間のダクト配管が長くなったり、設置時の作業性が悪く、メンテナンス性も悪いという問題がある。
【０００７】
しかも、空気流路の切換手段と屋内熱交換器や換気装置との間に制御用の信号を配設しなければならないなど、電気工事の面でも作業性やメンテナンス性が悪くなる。
【０００８】
この発明は上記の事情を考慮したもので、建物内の快適空調および省エネルギ効果を得ながら、ダクト長の増大、作業性の悪化、メンテナンス性の悪化といった不具合を解消することができる換気システムを提供することを目的とする。
【０００９】
【課題を解決するための手段】
請求項１に係る発明の換気システムは、屋外に設けられ、表面に集放熱面を有し、内部に通気空間を有する集放熱装置を備えるとともに、換気装置を備えている。換気装置は、集放熱装置に通じる通気口、屋内空間に通じる給気口、屋内空間に通じる吸込口、屋外空間に臨む排気口、屋外空間に臨む外気導入口、通気口および外気導入口から給気口に通じる第１給気路、通気口および外気導入口から給気口に通じる第２給気路、通気口および外気導入口の一方を開いて他方を閉じるための第１切替ダンパ、第１給気路および第２給気路に設けられた給気送風機、第１給気路および第２給気路の一方を開いて他方を閉じるための第２切替ダンパ、吸込口から排気口に通じる排気路、排気路に設けられた排気送風機、第１給気路および排気路に設けられた熱交換器を有する換気装置とを備えている。
【００１０】
【発明の実施の形態】
［１］以下、この発明の第１の実施形態について図面を参照して説明する。
図１、図２、図３において、１は集合住宅等の建物の一室で、複数の間取りからなり、屋外側にバルコニー２を有している。このバルコニー２の外壁面（柵）に複数枚のパネルを連結してなる集放熱装置１１が配列されている、集放熱装置１１は、表面に集放熱面を有し、内部に通気空間（通気層ともいう）を有している。集放熱面に太陽光が当たると、その集熱により内部空間の空気が暖められる。夜間は逆に放熱し、通気空間の空気が冷やされる。
【００１１】
また、バルコニー２の天井面に吊り下げ部材９を介して換気装置２０が吊り下げ固定されている。
換気装置２０は、図４に示すように、集放熱装置１１に通じる通気口２１、屋内空間に通じる給気口２２、屋内空間に通じる吸込口２３、屋外空間に臨む排気口４１、屋外空間に臨む外気導入口４２、上記通気口２１および上記外気導入口４２から上記給気口２２に通じる第１給気路、上記通気口２１および上記外気導入口４２から上記給気口２２に通じるとともに上記第１給気路の途中をバイパスする第２給気路、上記通気口２１および上記外気導入口４２の一方を開いて他方を閉じるための第１切替ダンパ２８、上記第１給気路および上記第２給気路に設けられた給気送風機２４、上記第１給気路および上記第２給気路の一方を開いて他方を閉じるための第２切替ダンパ３０、上記吸込口２３から上記排気口４１に通じる排気路、この排気路に設けられた排気送風機２５、上記第１給気路および上記排気路に設けられた全熱交換器３１を有している。第２給気路は、全熱交換器３１に対するバイパス路となる。
【００１２】
上記切替ダンパ２８は、開放時に通気口２１を開いて外気導入口４２を閉じ、閉成時に通気口２１を閉じて外気導入口４２を開く働きをする。切替ダンパ３０は、開放時に第１給気路を開いて第２給気路を閉じ、閉成時に第１給気路を閉じて第２給気路を開く働きをする。
【００１３】
上記通気口２１と切替ダンパ２８との間の風路２７に温度センサ２９が設けられている。温度センサ２９は、集放熱装置１１から通気口２１に流入する空気の温度Ｔｂを検知する。また、通気口２１と切替ダンパ２８との間の風路２７には、切替ダンパ２８が閉じられた場合に、通気口２１から流入する空気を屋外と常時流通させるための開口部４４が形成されている。
【００１４】
上記外気導入口４２の内側に、第２温湿度センサ４３が設けられている。温湿度センサ４３は、外気導入口４２に導入される外気の温度Ｔｏおよび湿度Ｈｏを検知する。外気導入口４２と上記給気送風機２４との間の空間に、外気清浄フィルタ２６およびコントロールボックス５０が設けられている。給気送風機２４はモータ２４Ｍを有し、排気送風機２５はモータ２５Ｍを有している。
【００１５】
上記吸込口２３から排気口４１に通じる排気路には、第３温湿度センサ３３が設けられている。温湿度センサ３３は、吸込口２３に流入する空気の温度Ｔｉおよび湿度Ｈｉを検知する。
【００１６】
換気装置２０の内部の平面図を図５、図６、図７、図８に示している。
図５は、切替ダンパ２８の開放、給気送風機２４のオン、切替ダンパ３０の開放、排気送風機２５のオンにより、集放熱装置１１内の空気が通気口２１、第１給気路、全熱交換器３１、通風路３２、および給気口２２を通って屋内に供給されるとともに、屋内の空気が吸込口２３、排気路、全熱交換器３１、通風路３２、および排気口４１を通って屋外に排出される第１通風路（第１運転モード）の様子を示している。
【００１７】
図６は、切替ダンパ２８の開放、給気送風機２４のオン、切替ダンパ３０の閉成、排気送風機２５のオンにより、集放熱装置１１内の空気が通気口２１、第２給気路、通風路３２、および給気口２２を通って屋内に供給されるとともに、屋内の空気が吸込口２３、排気路、全熱交換器３１、通風路３２、および排気口４１を通って屋外に排出される第２通風路（第２運転モード）の様子を示している。
【００１８】
図７は、切替ダンパ２８の閉成、給気送風機２４のオン、切替ダンパ３０の閉成、排気送風機２５のオンにより、外気が外気導入口４２、第２給気路、通風路３２、および給気口２２を通って屋内に供給されるとともに、屋内の空気が吸込口２３、排気路、全熱交換器３１、通風路３２、および排気口４１を通って屋外に排出される第３通風路（第３運転モード）の様子を示している。
【００１９】
図８は、切替ダンパ２８の閉成、給気送風機２４のオン、切替ダンパ３０の開放、排気送風機２５のオンにより、外気が外気導入口４２、第１給気路、全熱交換器３１、通風路３２、および給気口２２を通って屋内に供給されるとともに、屋内の空気が吸込口２３、排気路、全熱交換器３１、通風路３２、および排気口４１を通って屋外に排出される第４通風路（第４運転モード）の様子を示している。
【００２０】
上記コントロールボックス５０は、換気装置２０の全体を制御するもので、主要な機能として次の（１）〜（３）を備えている。
【００２１】
（１）温度センサ２９および温湿度センサ４３，３３の検知結果と予め定められている季節判別温度Ｔｃ（例えば２４℃）との対照に応じて前記各ダンパおよび前記各送風機を制御することにより、前記各通風路を選択的に形成する制御手段。季節判別温度Ｔｃについては、後述の操作手段たとえばお好みスイッチ６０によって可変設定することができる。
【００２２】
（２）第２通風路および第３通風路の形成時、給気送風機２４の風量を外気冷房用または外気暖房用に増大する制御手段。
【００２３】
（３）切替ダンパ２８，３０の開閉制御にヒステリシスを持たせる手段。
【００２４】
このような構成の換気装置２０において、通気口２１に、集放熱装置１の通気口がダクト１２を介して連通されている。給気口２２に、ダクト１３を介して建物１の床下空間３に連通されている。ダクト１３から床下空間３に供給される空気は、建物１内の各居室に床面等と通して流入する。流入した空気は、各居室に流入した空気は廊下とトイレの天井面に設けられている排気グリル４に吸込まれ、そこからダクト１４を介して屋外の換気装置２０の吸込口２３に導かれる。
【００２５】
キッチンや浴室には大量の湿気、湯気、油煙が発生するため、住宅全体の換気とは別系統とするのがよく、局所換気にて対応するのが望ましい。キッチンの空気はレンジフード５に吸込まれ、そこからダクト６を通して屋外に排出される。浴室の空気はダクト用換気扇７に吸込まれ、そこからダクト８を通して屋外に排出される。
【００２６】
つぎに、上記の構成の作用について図９および図１０のフローチャートを参照しながら説明する。
集放熱装置１１から換気装置２０に流入する空気の温度Ｔｂが温度センサ２９で検知され、集放熱装置１１を通らずに外気導入口４２から換気装置２０に流入する外気の温湿度Ｔｏ，Ｈｏが温湿度センサ４３で検知され、吸込口２３から換気装置２０に流入する室内空気の温湿度Ｔｉ，Ｈｉが温湿度センサ３３により検知される。集放熱装置１１を通らずに外気導入口４２から換気装置２０に流入する外気の湿度Ｈｏは、集放熱装置１１から換気装置２０に流入する外気の湿度にそのまま相当する。なお、切替ダンパ２８が閉じていても、集放熱装置１１から換気装置２０に流入する空気は開口部４４を通して屋外に流出するので、集放熱装置１１から換気装置２０に流入する空気の温度Ｔｂを温度センサ２９で適切に検知することができる。
【００２７】
屋内温度Ｔｉまたは外気温度Ｔｏが季節判別温度Ｔｃよりも低ければ、主に冬期であるとの判断の下に、外気温度Ｔｏと集放熱装置１１の通過空気温度Ｔｂとが比較される。
【００２８】
外気温度Ｔｏが集放熱装置１１の通過空気温度Ｔｂよりも低ければ（例えば日射がある状態）、その通過空気温度Ｔｂと屋内温度Ｔｉとが比較される。この場合、通過空気温度Ｔｂが屋内温度Ｔｉ以下であれば、運転モード１が設定されて上記した第１の通風経路が形成される。すなわち、図５のように、集放熱装置１１で暖められた空気が屋内に導入されながら、排出される屋内空気の熱と屋内への導入空気の熱とが全熱交換器３１で互いに移行する。この第１の通風路は日中の日射が弱いときに多く発生する。いわゆる熱交換換気経路であり、屋内の快適性を確保しながら屋内空気が換気される。
通過空気温度Ｔｂが屋内温度Ｔｉよりも高ければ、運転モード２が設定されて上記した第２の通風経路が形成される。すなわち、図６のように、集放熱装置１１で暖められた空気が屋内に導入される。いわゆる普通換気経路であり、屋内の快適性を確保しながら省エネルギ効果が得られる。
【００２９】
外気温度Ｔｏが通過空気温度Ｔｂ以上の場合は（例えば暖房期の日射無し時や夜間）、屋内温度Ｔｉと外気温度Ｔｏとが比較される。この場合、屋内温度Ｔｉが外気温度Ｔｏより低ければ、運転モード３が設定されて上記した第３の通風経路が形成される。すなわち、図７のように、外気が外気導入口４２から換気装置１内に導入され、それが全熱交換器３１を経ずにそのまま屋内へ導入される。いわゆる普通換気経路であり、屋内の快適性を確保しながら省エネルギ効果が得られる。
【００３０】
屋内温度Ｔｉが外気温度Ｔｏ以上であれば、運転モード４が設定されて上記した第４の通風経路が形成される。すなわち、図８のように、外気が外気導入口４２から換気装置１内に導入され、それが全熱交換器３１を介して屋内へ導入される。全熱交換器３１が介在することにより、外気が少し暖められた状態で屋内に導入される。いわゆる熱交換換気経路であり、屋内の快適性を確保しながら省エネルギ効果が得られる。
季節判別温度Ｔｃについては、お好みスイッチ６０の操作により、−３℃〜＋３℃まで適宜に変更できる。例えば、季節感や体調等を考慮した変更操作が可能である。
【００３１】
一方、屋内温度Ｔｉまたは外気温度Ｔｏが季節判別温度Ｔｃ以上であれば、主に夏期であるとの判断の下に、集放熱装置１１の通過空気温度Ｔｂと外気温度Ｔｏとが比較される。
【００３２】
通過空気温度Ｔｂが外気温度Ｔｏよりも低ければ（例えば夜間）、屋内温度Ｔｉと通過空気温度Ｔｂとが比較される。この場合、屋内温度Ｔｉが通過空気温度Ｔｂ以下であれば、運転モード１が設定されて第１の通風経路が形成される。すなわち、図５のように、集放熱装置１１内の空気が屋内に導入されながら、屋内空気が屋外に排出されるとともに、排出される屋内空気の熱と屋内への導入空気の熱とが全熱交換器３１で互いに移行する（このような状況は殆ど発生しない）。
屋内温度Ｔｉが通過空気温度Ｔｂよりも高ければ、運転モード２が設定されて第２の通風経路が形成される。すなわち、図６のように、集放熱装置１１内の空気が屋内に導入される（このような状況は夏期夜間に頻出する）。この普通換気経路により、屋内の快適性を確保しながら省エネルギ効果が得られる。
通過空気温度Ｔｂが外気温度Ｔｏ以上の場合は、外気温度Ｔｏと屋内温度Ｔｉとが比較される。この場合、外気温度Ｔｏが屋内温度Ｔｉより低ければ、運転モード３が設定されて第３の通風経路が形成される。すなわち、図７のように、外気が外気導入口４２から換気装置１内に導入され、それが全熱交換器３１を経ずにそのまま屋内へ導入される（この状況は夏期の日中で外が快適なときに発生する）。この普通換気経路により、屋内の快適性を確保しながら省エネルギ効果が得られる。
外気温度Ｔｏが屋内温度Ｔｉ以上であれば、運転モード４が設定されて第４の通風経路が形成される。すなわち、図８のように、外気が外気導入口４２から換気装置１内に導入され、それが全熱交換器３１を介して屋内へ導入される。全熱交換器３１が介在することにより、外気が少し冷やされた状態で屋内に導入される（このような状況は盛夏期の日中等に多く発生する）。この普通換気経路により、屋内の快適性を確保しながら省エネルギ効果が得られる。
以上のように、集放熱装置１１および換気装置２０を採用することにより、建物内の快適空調および省エネルギ効果を得ながら、従来のようなダクト長の増大、作業性の悪化、メンテナンス性の悪化といった不具合を解消することができる。ダクト長が短くなることにより、熱損失が減少し、省エネルギ効果のさらなる向上につながる。
【００３３】
集放熱装置１１を経た空気を建物１の床下空間３に供給するようにしているので、特に冬季においては床下に暖まった空気が流れる。これにより、床面が暖まり、居室が快適となる。
【００３４】
床下の換気をも同時に行いながら、各居室を介してサニタリーや共有スペースから屋外に吹出すことで、住宅全体の計画換気ができる。また、サニタリーの悪臭、湿気、冬季においける冷気の居室への進入を防ぐ空気の流れを作ることができる。近年の高気密断熱住宅にこの空気の流れをつくることにより、住宅内の温度差が減るので居室からサニタリーや共用スペースに移動した際に体感するコールドドラフトも軽減することができる。
【００３５】
［２］第２の実施形態について説明する。
この第２の実施形態において、屋内温度Ｔｉまたは外気温度Ｔｏが季節判別温度Ｔｃよりも低い場合の主に冬期での作用に関しては、第１の実施形態と同じである。
【００３６】
第１の実施形態と異なるのは、屋内温度Ｔｉまたは外気温度Ｔｏが季節判別温度Ｔｃ以上の場合の主に夏期の作用についてであり、温度センサ２９の検知温度Ｔｂ、温湿度センサ４３の検知温湿度Ｔｏ，Ｈｏ、温湿度センサ３３の温湿度Ｔｉ，ＨｉのそれぞれエンタルピＥＴＰｂ，ＥＴＰｏ，ＥＴＰｉが求められ、これらエンタルピに基づいて図１１および図１２の制御が実行される。このようなエンタルピに基づく制御に実行により、省エネルギ効果がさらに向上する。
基本的な構成および他の作用や効果については第１の実施形態と同じである。
【００３７】
［３］第３の実施形態について説明する。
第３の実施形態では、図１３および図１４のフローチャートに示すように、切替ダンパ２８，３０の開閉制御にヒステリシスを持たせるための具体的な手段として、補正用の温度Ｔｋ１，Ｔｋ２，Ｔｋ３，Ｔｋ４が加味される。さらに、温度センサ２９の検知温度Ｔｂ、温湿度センサ４３の検知温湿度Ｔｏ，Ｈｏ、温湿度センサ３３の温湿度Ｔｉ，ＨｉのそれぞれエンタルピＥＴＰｂ，ＥＴＰｏ，ＥＴＰｉが求め、これらエンタルピについても補正値ＥＴＰＴｋ１，ＥＴＰｋ２，ＥＴＰｋ３が加味される。
【００３８】
また、第２通風路および第３通風路の形成に際しては、給気送風機２４の風量が、外気冷房用および外気暖房用として適宜に増大される。すなわち、普通換気経路が選択されている場合は、直接の外気もしくは集放熱装置１１を経由した外気の放電リレー接点６が快適な状態（例えば、夏の夜間で屋外が涼しい状態、冬の日中で集熱されて外気が暖まった状態など）にあり、この場合は風量を増やして外気による冷房、外気による暖房をした方が省エネルギとなる。
【００３９】
なお、この発明は、上記実施形態をそのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【００４０】
【発明の効果】
以上述べたようにこの発明によれば、集放熱装置および換気装置を備えたので、建物内の快適空調および省エネルギ効果を得ながら、ダクト長の増大、作業性の悪化、メンテナンス性の悪化といった不具合を解消することができる換気システムを提供できる。
【図面の簡単な説明】
【図１】各実施形態およびそれに係る建物の内部構成を示す斜視図。
【図２】各実施形態の全体の構成を概略的に示す斜視図。
【図３】図１における建物の構成を側方から見た図。
【図４】各実施形態の全体の構成を具体的に示す斜視図。
【図５】各実施形態の第１通風路を示す図。
【図６】各実施形態の第２通風路を示す図。
【図７】各実施形態の第３通風路を示す図。
【図８】各実施形態の第４通風路を示す図。
【図９】第１の実施形態の作用を説明するためのフローチャート。
【図１０】図９に続くフローチャート。
【図１１】第２の実施形態の作用を説明するためのフローチャート。
【図１２】図１１に続くフローチャート。
【図１３】第３の実施形態の作用を説明するためのフローチャート。
【図１４】図１３に続くフローチャート。
【符号の説明】
１…建物、２…バルコニー、３…床下空間、４…排気グリル、５…レンジフード、１１…集放熱装置、１２，１３，１４…ダクト、２０…換気装置、２１…通気口、２２…給気口、２３…吸込口、２４…給気送風機、２５…排気送風機、２８…第１切替ダンパ、２９…温度センサ、３１…全熱交換器、３２…通風路、３３…温湿度センサ、４１…排気口、４２…外気導入口、４３…温湿度センサ、４４…開口部、５０…コントロールボックス、６０…お好みスイッチ
【図１】
2004301375.tif 000003
【図２】
2004301375.tif 000004
【図３】
2004301375.tif 000005
【図４】
2004301375.tif 000006
【図５】
2004301375.tif 000007
【図６】
2004301375.tif 000008
【図７】
2004301375.tif 000009
【図８】
2004301375.tif 000010
【図９】
2004301375.tif 000011
【図１０】
2004301375.tif 000012
【図１１】
2004301375.tif 000013
【図１２】
2004301375.tif 000014
【図１３】
2004301375.tif 000015
【図１４】
2004301375.tif 000016
【手続補正書】
【提出日】平成15年6月4日(2003.6.4)
【手続補正１】
【補正対象書類名】図面
【補正対象項目名】図１３
【補正方法】変更
【補正の内容】
【図１３】
2004301375.tif 000017
【手続補正２】
【補正対象書類名】図面
【補正対象項目名】図１４
【補正方法】変更
【補正の内容】
【図１４】
2004301375.tif 000018